(57)【要約】〔課題〕  材質の異なるラップフィルムを総じて切断可能な切断する刃を設ける、切断する刃を接合するラップフィルム収納ケースに、取り出し口、飛び出し防止具、蓋開閉補助具、回転補助具、定位置止めを有する自由可動の飛び出し防止具、蓋の開閉にともなって同開閉を行う飛び出し防止具、引き出し口等を設け、使用分を引き出して切断するまでの行定を安易に完了可能にする、使用中切断する刃の先端で軽い傷を受けることをなくし、こねなくても使用分を引き出した状態で切断可能にする。〔解決手段〕  請求項１に記載の、溝状の空間、溝状の空間に押入可能な垂下面下部、蓋開閉補助具、刃の先端が収納ケース本体前面を指向可能な諸刃形切断する刃、飛び出し防止具、取り出し口、引き出し口、カーブを有する回転補助具を有する収納ケースを設ける、請求項２に記載の、後面側蓋、前面側蓋、定位置止めを有し自由可動の飛び出し防止具、等々を用いた収納ケースを設ける。【選択図】図１
2005022756.tif 000002
【特許請求の範囲】
【請求項１】
使用分を引き出した状態で切断可能な収納ケースであって、下記の（ａ）〜（ｇ）で構成を有することを特徴とする、ラップフィルム収納ケース
（ａ）前面、後面、横左面、横右面、底板からなるラップフィルム収納ケース本体に、天板、横左垂下面、横右垂下面、前面垂下面からなる蓋を、収納ケース本体後面上端に連設している
（ｂ）収納ケース本体前面に対向する位置に溝状の空間を挟み直立面を設けている
（ｃ）前面垂下面の上部に蓋開閉補助具を設け、該垂下面の下部が溝状の空間に押入可能になっている
（ｄ）蓋天板裏面に蓋の開閉にともなって同開閉を行う飛び出し防止具を設けている
（ｅ）諸刃形切断する刃の先端が、収納ケース本体前面を指向可能に成形し直立面上部に接合している
（ｆ）収納ケース本体前面上端に飛び出し防止具を設け、カーブを有する回転補助具を内側に連設している
（ｇ）収納ケース本体前面上端に設けた飛び出し防止具の、ほぼ中央部分に取り出し口を設け、蓋を開くと引き出し口になる引き出し口を隣接している、使用分を引き出したラップフィルムが、諸刃形切断する刃の先端に直接当り引き出した状態で切断可能なことを特徴とするラップフィルム収納ケース
【請求項２】
使用分を引き出した状態で切断可能な収納ケースであって、下記の（ａ）〜（ｇ）で構成を有することを特徴とする、ラップフィルム収納ケース
（ａ）前面、後面、横左面、横右面、底板からなる収納ケース本体に、横左垂下面、横右垂下面を有し開閉自在で定着可能な後面側蓋を、収納ケース本体後面上端に連設している
（ｂ）横左垂下面、横右垂下面、前面垂下面を有し開閉自在な前面側蓋を後面側蓋に連設している
（ｃ）切断する刃の先端が収納ケース本体前面を指向可能に成形し、前面垂下面下部に接合している
（ｄ）該前面垂下面上部に蓋開閉補助具を設けている
（ｅ）後面側蓋の裏面に定位置止めを有し自由可動の飛び出し防止具を設けている
（ｆ）収納ケース本体前面上端に飛び出し防止具を設け、連設して内側にカーブを有する回転補助具を設けている
（ｇ）収納ケース本体前面上端に設けた飛び出し防止具の、ほぼ中央に取り出し口を設け、蓋を開くと引き出し口になる引き出し口を隣接している、後面側蓋、前面側蓋、双方の蓋を用い蓋の開閉を良くしている。定位置めを有する自由可動の飛び出し防止具、取り出し口、回転補助具が恊力して使用分を安易に引き出し、引き出した状態で切断可能なことを特徴とする、請求項１に記載のラップフィルム収納ケース
【請求項３】
のこぎり刃形のいっぽうの刃を長く突出した刃とし、１個所を始め複数以上の個所を先に切断可能とした切断する刃を設け、先に切断した後に他のいっぽうの短くした刃が継続して残余の部分を切断可能とした切断する刃を設ける、該長短双方の刃の先部分を折曲しラップフィルム収納ケースに接合すると、双方の刃の先端が収納ケース本体前面を指向可能としてなる、請求項１に記載のラップフィルム収納ケース
【請求項４】
請求項１の（ｃ）に記載の蓋開閉補助具を補強物質に連設し、該補強物質の形状を収納ケース蓋前面とほぼ同形とした、補強物質を有する蓋開閉補助具を別途に設けラップフィルム収納ケース蓋前面に接合してなる、請求項１に記載のラップフィルム収納ケース
【発明の詳細な説明】
〔技術分野〕
【０００１】  ラップフィルムを収納ケースに収納し、使用分を引き出したラップフィルムを切断する刃と収納ケースにかかわるものである
〔背景技術〕
【０００２】  ラップフィルムを使用分引き出して切断する時、ラップフィルムが切断する刃の横側に当るので収納ケースを内側に、こねて切断している、次回使用する時ラップフィルムの端部分が、収納ケース本体前面に密着しているので摘むことが困難である、飛び出し防止具を設けているが、いちど収納が完了すると取り出しは不可能に近い状態である、ラップフィルムが半ば使用済になると自重が軽くなり使用分を引き出し時に、収納ケース本体内を上方に移動して収納ケース本体内より飛び出すことが多々生じて困難を覚えている、蓋の開閉にも親指が滑り障害が生じている。（例えば、特公平７−６４３５５を参照）
【０００３】  ラップフィルム収納ケース本体後面上端に連設している蓋の中央部分を山形状に突出させて、使用分を引き出したラップフィルムを切断する刃の先端を、蓋の先端と同方向にして接合している、切断時において山形状に突出させた部分を親指で強くおさえて、収納ケスを内側にこねてラップフィルムを反対方向に引くと切断できるが、ポリエチレンラップは切断不可能である、蓋の開閉時において、収納ケースを片手で持ち持った手の親指を動かして開閉を行うが、行動が激しすぎて空滑りすることが生じる、使用中切断する刃の先端で軽い傷を受けることが生じる（例えば、特公平７−１００５０７号参照）
〔特許文献１〕
特公平７−６４３５５号
〔特許文献２〕
特公平７−１００５０７号
〔非特許文献１〕
発売元、株式会社ダイエー、ポリエチレンラップ
〔発明の開示〕
〔発明が解決しようとする課題〕
【０００４】  材質の異なるラップフィルムも総じて切断可能な切断する刃を設ける、次回使用分を引き出し時ラップフィルムを安易に摘み引き出せるようにする、引き出し時にラップフィルムが収納ケース本体内より飛び出さないようにする、飛び出し防止具、蓋開閉補助具、定位置止め、回転補助具等を設け、引き出して切断するまでの行定を安易に完了可能にする、使用中切断する刃の先端で軽い傷を受ける障害が時々生じるがこれを皆無にする
〔課題を解決するための手段〕
【０００５】  切断する刃の先端が収納ケース本体前面を指向可能に成形した切断する刃を設け、使用分を引き出したラップフィルムが切断する刃の先端に直接当るようにする、収納ケース本体前面に対向する位置に溝状の空間を挟み直立面を設ける、蓋前面垂下面下部が溝状の空間に押入可能に成形する、使用分を引き出したラップフィルムがＵ字形回路を通過して切断する刃の先端に致達可能に成形する、蓋天板の裏に蓋の開閉にともなって同開閉を行う飛び出し防止具を設ける、収納ケース本体前面上端内側に飛び出し防止具を設け、連設してカーブを有する回転補助具を設ける、該飛び出し防止具のほぼ中央に取り出し口を設け、取り出し口に隣設して蓋を開くと引き出し口になる引き出し口を設ける、蓋前面垂下面上部に蓋開閉補助具を設ける、別途に前面側蓋、後面側蓋、定位置止めを有する飛び出し防止具を接合した収納ケースを設ける。
〔発明の効果〕
【０００６】  切断する刃の先端が収納ケース本体前面を指向しているので、使用中切断する刃の先端で傷を受ける障害がなくなる、個々に異なるラップフィルムを総じて切断可能となる、密着の心配もなくなりラップフィルムの端部分を摘み安易に次回使用分を引き出せる、蓋の開閉が快適にできるので収納ケース本体内にラップフィルムを着脱時の心配がなくなる、引き出した状態で切断が安易に可能になる、切断時何の障害もなくなり安心して使用できる
〔発明を実施するための最良の形態〕
【０００７】  Ｕ字形回路の指示体となる前面垂下面下部が使用分を引き出したラップフィルムを、溝状の空間に押入しＵ字形回路を通過した状態となり、収納ケース本体前面を指向する切断する刃の先端に直接当り、引き出した状態で安易に切断可能になる、蓋開閉補助具を前面垂下面上部に設けたことで蓋の開閉が安易に可能になる、収納ケース本体前面上端ほぼ中央に取り出し口を設けたことで、密着の心配がなくなり次回引き出し時にラップフィルムの端部分を安易に摘み引き出すことが可能になる
〔実施例〕
【０００８】  以下、本発明の実施例を図に基ずいて説明する
【０００９】  図１は、請求項１に記載のラップフィルム収納ケースの実施の形態を示す、前面１、後面２、横左面３、横右面４、底板５、天板７、横左垂下面８、横右垂下面９、前面垂下面１０、蓋１１、収納ケース本体後面上端１２、溝状の空間１３、直立面１４、蓋開閉補助具１５、前面垂下面下部１６、蓋天板裏面１７、蓋の開閉にともなって同開閉を行う飛び出し防止具１８、諸刃形切断する刃１９、直立面上部２０、収納ケース本体前面上端に設けた飛び出し防止具２１、カーブを有する回転補助具２２、取り出し口２３、引き出し口２４、連設部分３６、収納ケース本体６となっている
【００１０】  図２は、図１に示す、収納ケース本体６内にラップフィルム２５を収納し使用分を引き出した状態を示す、ラップフィルムの端部分２６、蓋の開閉にともなって同開閉を行う飛び出し防止具１８、蓋開閉補助具１５、前面垂下面下部１６、直立面１４、諸刃形の切断する刃１９、収納ケース本体前面上端に設けた飛び出し防止具２１、カーブを有する回転補助具２２、蓋１１、連設部分３６、なを、横左垂下面、横右垂下面の図は記入なしとしている。
【００１１】  図３は、図２に示す、使用分を引き出して蓋１１を閉じると前面垂下面下部１６が溝状の空間１３に押入し、ラップフィルム２５がＵ字形回路２８を通過して諸刃形切断する刃１９の先端に到達したことを示す、ラップフィルムの端部分２６、蓋の開閉にともなって同開閉を行う飛び出し防止具１８、蓋開閉補助具１５、直立面１４、カーブを有する回転補助具２２、連設部分３６となっている、なを、横左垂下面、横右垂下面の図は記入なしとなっている
【００１２】  図４は、請求項２に記載のラップフィルム収納ケースの実施の形態を示す、収納ケース本体６、横左垂下面８、後面側蓋２９、収納ケース本体後面上端１２、前面側蓋３０、切断する刃の先端３１、収納ケース本体前面３２、前面垂下面下部１６、蓋開閉補助具１５定位置止めを有し自由可動の飛び出し防止具２７、収納ケース本体前面上端に設けた飛び出し防止具２１、カーブを有する飛び出し防止具２２、取り出し口２３、引き出し口２４前面側蓋の横左垂下面３３、前面側蓋の横右垂下面３４、前面側蓋の前面垂下面３５、連設部分３６となっている。
【００１３】  図５は、図４に示す、収納ケース本体６内にラップフィルム２５を収納した状態を示し、なを、後面側蓋２９、前面側蓋３０が開放していることを示している、蓋開閉補助具１５、前面垂下面下部１６、切断する刃の先端３１、連設部分３６、定位置止め３７、自由可動の飛び出し防止具３８、支持体３９、ラップフィルムの端部分２６、収納ケース本体前面３２、前面側蓋の前面垂下面３５となっている。
【００１４】  図６は、図５に示す、ラップフィルム２５を使用分を引き出し、後面側蓋２９、前面側蓋３０を閉じて、ラップフィルム２５が切断可能になった状態を示す、なを、切断する刃の先端３１が収納ケース本体前面３２を指向していることを示す、連設部分３６、定位置止め３７、自由可動の飛び出し防止具３８、支持体３９、ラップフィルムの端部分２６、蓋開閉補助具１５、前面側蓋の前面垂下面３５となっている。
【００１５】  図７は、ラップフィルム２５を収納ケース本体６内に収納し、使用分を引き出す途中を示し、なを、定位置止め３７の下方に自由可動の飛び出し防止具３８が位置していることを示す。
【００１６】  図８は、ラップフィルム２５を使用分を引き出し時、半ば使用済になると自重が軽くなり上方に移動することを示す、なを、自由可動の飛び出し防止具３８が定位置止め３７に到達すると停止することを示す、ラップフィルムの端部分２６、前面側蓋３０を開くと引き出し口２４が生じることを示す。
【００１７】  図９は、自由可動の飛び出し防止具３８は後面側蓋２９に連設も可能なことを示す、なを、切断する刃の先端３１が収納ケース本体前面３２に指向する角度は、ラップフィルムの材質にあわせ変化成形して使用可能とする、例えば、諸刃形切断する刃の、いっぽうの刃先端４０を収納ケース本体前面３２に指向させ、他のいっぽうの刃先端４１を他方に指向させることも可能なことを示す、ラップフィルム２５、ラップフィルムの端部分２６となっている
【００１８】  図１０は、請求項３に記載の、諸刃形の切断する刃を、いっぽうを長く突出した刃４４
2005022756.tif 000003
き切断する刃４６を設けたことを示す、なを、切断する刃先端が収納ケース本体前面を指向可能に変化させて成形するも可能なことを示す、支持体３９となっている。
【００１９】
2005022756.tif 000004
に記載の収納ケース本体６に対向する直立面１４に接合し、切断する刃の先端３１が収納ケース本体前面３２を指向可能に接合したことを示す、なを、請求項２に記載の収納ケース本体後面上端１２に連設している後面側蓋２９前面側蓋３０を、収納ケース本体後面上端１２に連設したことを示す、連設部分３６、蓋開閉補助具１５、前面垂下面下部１６、前面側蓋の前面垂下面３５、前面側蓋の横左垂下面３３、前面側蓋の横右垂下面３４、収納ケース本体前面上端に設けた飛び出し防止具２１、カーブを有する回転補助具２２、取り出し口２３、引き出し口２４、自由可動の飛び出し防止具３８、支持体３９、長く突出した刃４４、短くした刃４５となっている、なを、上記各図に示す連設部分は接合も可能なことを示す
【００２０】  図１２は、従来のラップフィルム収納ケース本体４２の後面上端に連設している蓋１１が有する前面垂下面下部１６に、従来の切断する刃４７を接合した状態を示す、切断する刃の先端は下向きになっている、使用分を引き出したラップフィルム２５をラップフィルムの端部分２６のほうに引くと、従来の切断する刃の横側４３に当る故に収納ケース本体４２を内側に、こねて切断していることを示す、連設部分３６となっている
【００２１】  図１３は、請求項４に記載の補強物質４８を有する蓋開閉補助具１５を別途に設け、従来のラップフィルム収納ケース４２の蓋１１の前面垂下面１０に接合したことによって、切断時に親指を軽くそえるだけで切断が可能になる、従来の切断する刃４７を示す。
【００２２】  図１４は、請求項４に記載の補強物質４８を有する蓋開閉補助具１５を別途に設けたことを示す
【００２３】  図１５は、蓋開閉補助具１５を連設したことを示す、収納ケース本体６、蓋１１、連設部分３６、諸刃の切断する刃１９を示す
〔産業上の利用可能性〕
【００２４】  従来のラップフィルム収納ケースに変り、各家庭、商店、料亭、旅館、等で大活躍することが充分に考えられる。
【図面の簡単な説明】
【００２５】
【図１】請求項１に記載の実施の形態を示す、立体図
【図２】ラップフィルムを使用分引き出した状態を示す、側面図
【図３】ラップフィルムを切断時の状態を示す、側面図
【図４】請求項２に記載の実施の形態を示す、立体図
【図５】後面側蓋、前面側蓋が開放したことを示す、側面図
【図６】ラップフィルムを切断時の状態を示す、側面図
【図７】定位置止めを示す、側面図
【図８】自由可動の飛び出し防止具が定位置で止まったことを示す、側面図
【図９】自由可動の飛び出し防止具は後面側蓋に連設も可能なことを示す、側面図
【図１０】請求項３に記載の切断する刃を示す、立体図
【図１１】図１０に示す切断する刃を収納ケース直立面に接合したことを示す、立体図
【図１２】従来のラップフィルム収納ケースを示す、側面図
【図１３】請求項４に記載の補強物質を有する蓋開閉補助具を、従来のラップフィルム収納ケースの蓋前面垂下面に接合したことを示す、立体図
【図１４】請求項４に記載の補強物質を有する蓋開閉補助具を示す、立体図
【図１５】蓋開閉補助具を蓋に連設したことを示す、側面図
【符号の説明】
【００２６】１    前面
２    後面
３    横左面
４    横右面
５    底板
６    収納ケース本体
７    天板
８    横左垂下面
９    横右垂下面
１０  前面垂下面
１１  蓋
１２  収納ケース後面上端
１３  溝状の空間
１４  直立面
１５  蓋開閉補助具
１６  前面垂下面下部
１７  蓋天板裏面
１８  蓋の開閉にともなって同開閉を行う飛び出し防止具
１９  諸刃形切断する刃
２０  直立面上部
２１  収納ケース本体前面上端に設けた飛び出し防止具
２２  カーブを有する回転補助具
２３  取り出し口
２４  引き出し口
２５  ラップフィルム
２６  ラップフィルムの端部分
２７  定位置止めを有し自由可動の飛び出し防止具
２８  Ｕ字形回路
２９  後面側蓋
３０  前面側蓋
３１  切断する刃の先端
３２  収納ケース本体前面
３３  前面側蓋の横左垂下面
３４  前面側蓋の横右垂下面
３５  前面側蓋の前面垂下面
３６  連設部分
３７  定位置止め
３８  自由可動の飛び出し防止具
３９  支持体
４０  いっぽうの刃先端
４１  他方に指向した刃先端
４２  従来のラップフィルム収納ケース本体
４３  切断する刃の横側
４４  長く突出した刃
４５  短くした刃
2005022756.tif 000005
４７  従来の切断する刃
４８  補強物質
【図１】
2005022756.tif 000006
【図２】
2005022756.tif 000007
【図３】
2005022756.tif 000008
【図４】
2005022756.tif 000009
【図５】
2005022756.tif 000010
【図６】
2005022756.tif 000011
【図７】
2005022756.tif 000012
【図８】
2005022756.tif 000013
【図９】
2005022756.tif 000014
【図１０】
2005022756.tif 000015
【図１１】
2005022756.tif 000016
【図１２】
2005022756.tif 000017
【図１３】
2005022756.tif 000018
【図１４】
2005022756.tif 000019
【図１５】
2005022756.tif 000020